(57)【要約】      （修正有）【課題】携帯にも適したものであり、手軽に絵画を描くことができる帆布積層シートを提供する。【解決手段】少なくとも帆布３、合成樹脂シート１および紙２が積層されてなる帆布積層シートであって、帆布積層シートの断面構造が、帆布層、合成樹脂シート層および紙層の順に配置された多層構造である、帆布積層シート。帆布積層シートの外周は、直線により形成された形状、曲線により形成された形状、または直線および曲線を含んで形成された形状のいずれでもよい。また帆布積層シートの形状は、多角形型、円形型、楕円形型、星型、動物型または植物型のいずれかを選択することができる。【選択図】図２
0003187090.tif 000002
【実用新案登録請求の範囲】
【請求項１】
少なくとも帆布、合成樹脂シートおよび紙が積層されてなる帆布積層シートであって、
前記帆布積層シートの断面構造が、帆布層、合成樹脂シート層および紙層の順に配置された多層構造である、帆布積層シート。
【請求項２】
前記帆布積層シートの外周が、直線により形成された形状、曲線により形成された形状、または直線および曲線を含んで形成された形状のいずれかである、請求項１に記載の帆布積層シート。
【請求項３】
前記帆布積層シートが、抜き型により得られた形状である、請求項１または２に記載の帆布積層シートを提供するものである。
【請求項４】
前記帆布積層シートの形状が、多角形型、円形型、楕円形型、星型、動物型または植物型のいずれかである、請求項１〜３のいずれかに記載の帆布積層シート。
【請求項５】
前記帆布積層シートの形状が、縦横それぞれ、５〜１５０ｃｍの範囲である、請求項１〜４のいずれかに記載の帆布積層シート。
【請求項６】
前記紙が、梳き目を有し、
前記合成樹脂シートが、一軸延伸シートであり、
前記帆布積層シートの表面に対する垂直方向から観察した場合を基準として、前記紙の梳き目方向が、前記合成樹脂シートの延伸方向と交差する、請求項１〜５のいずれかに記載の帆布積層シート。
【請求項７】
前記帆布が、縦糸と横糸とを直交させてなる織布であり、
前記合成樹脂シートが、一軸延伸シートであり、
前記帆布積層シートの表面に対する垂直方向から観察した場合を基準として、前記帆布の縦糸および横糸のそれぞれの長手方向が、前記合成樹脂シートの延伸方向と交差する、請求項１〜６のいずれかに記載の帆布積層シート。
【考案の詳細な説明】
【技術分野】
【０００１】
本考案は、帆布積層シートに関する。
【背景技術】
【０００２】
印画布を用いた貼り合わせ状郵便物の一例として、郵便物として送付された後に、その布帛を剥がして、貼り合わせ布帛として他のいろいろな用途に再度有効に使用することができる貼り合せ状郵便物が提案されている（特許文献１）。
前記貼り合せ状郵便物は、（１）吸水性物質が付与されている布帛、（２）粘着剤及び／又はホットメルト剤を有する層、および（３）離型紙を積層してなる。
【０００３】
前記貼り合せ状郵便物は、前記布帛（１）に既に画像が印刷されている場合に非常に有用である。画像が印刷された状態で前記貼り合せ状郵便物が郵送され、郵送先で離型紙を取り去ることにより、好みの位置に前記貼り合せ状郵便物を貼ることができる。
【０００４】
しかし布帛（１）は柔らかいために、前記貼り合せ状郵便物に後から絵を描くことが容易ではない問題があった。
【０００５】
一方、キャンバスと呼ばれる既存の画材は、帆布を木製の枠に固定したものである。この木製の枠がない場合の帆布は、水性または油性の絵具を付けると帆布が大きく変形し、色を重ねて描くことができず、作品を鑑賞に適した形で保存することができない問題があった。
【先行技術文献】
【特許文献】
【０００６】
【特許文献１】特開２００３−２４６１６７号公報
【考案の概要】
【考案が解決しようとする課題】
【０００７】
本考案が解決しようとする問題点は、携帯にも適したものであり、従来のキャンバスよりも低価格で供給することができ、手軽に絵画を描くことができる帆布積層シートを提供することにある。
【課題を解決するための手段】
【０００８】
上記課題を解決すべく本考案者が鋭意検討した結果、帆布、合成樹脂シートおよび紙を積層してなる帆布積層シートであって、
前記帆布積層シートの断面構造が、帆布層、合成樹脂シート層および紙層の順に積層された多層構造の帆布積層シートが、本考案の目的に適うことを見出し、本考案を完成するに至った。
【０００９】
すなわち、本考案は、
［１］少なくとも帆布、合成樹脂シートおよび紙が積層されてなる帆布積層シートであって、
前記帆布積層シートの断面構造が、帆布層、合成樹脂シート層および紙層の順に配置された多層構造である、帆布積層シートを提供するものである。
【００１０】
また本考案の一つは、
［２］前記帆布積層シートの外周が、直線により形成された形状、曲線により形成された形状、または直線および曲線を含んで形成された形状のいずれかである、上記［１］に記載の帆布積層シートを提供するものである。
【００１１】
また本考案の一つは、
［３］前記帆布積層シートが、抜き型により得られた形状である、上記［１］または［２］に記載の帆布積層シートを提供するものである。
【００１２】
また本考案の一つは、
［４］前記帆布積層シートの形状が、多角形型、円形型、楕円形型、星型、動物型または植物型のいずれかである、上記［１］〜［３］のいずれかに記載の帆布積層シートを提供するものである。
【００１３】
また本考案の一つは、
［５］前記帆布積層シートの形状が、縦横それぞれ、５〜１５０ｃｍの範囲である、
上記［１］〜［４］のいずれかに記載の帆布積層シートを提供するものである。
【００１４】
また本考案の一つは、
［６］前記紙が、梳き目を有し、
前記合成樹脂シートが、一軸延伸シートであり、
前記帆布積層シートの表面に対する垂直方向から観察した場合を基準として、前記紙の梳き目方向が、前記合成樹脂シートの延伸方向と交差する、上記［１］〜［５］のいずれかに記載の帆布積層シートを提供するものである。
【００１５】
また本考案の一つは、
［７］前記帆布が、縦糸と横糸とを直交させてなる織布であり、
前記合成樹脂シートが、一軸延伸シートであり、
前記帆布積層シートの表面に対する垂直方向から観察した場合を基準として、前記帆布の縦糸および横糸のそれぞれの長手方向が、前記合成樹脂シートの延伸方向と交差する、上記［１］〜［６］のいずれかに記載の帆布積層シートを提供するものである。
【考案の効果】
【００１６】
本考案に係る帆布積層シートは、少なくとも帆布層、合成樹脂シート層および紙層を含む多層構造である。前記帆布層が、前記合成樹脂シート層および紙層により支持されていることから、前記帆布積層シートは、一端を持って支持した場合でも前記支持部分で折れ曲がることがなく、一定の形状を保つことができる。
このため本考案に係る帆布積層シートは、木製の枠材等で固定することなく絵画の用途等に使用することができる。
【図面の簡単な説明】
【００１７】
【図１】図１は、実施例１に係る帆布積層シート１００の分解斜視図である
【図２】図２は、実施例１に係る帆布積層シート１００を示す模式斜視図である。
【図３】図３は、実施例１に係る帆布積層シート１００の断面を示す模式断面図である。
【図４】図４は、実施例２に係る帆布積層シート２００を示す模式断面図である。
【考案を実施するための形態】
【００１８】
最初に本考案に使用する帆布について説明する。
本考案に使用する帆布としては、例えば、ポリエステル、ポリアミド、ポリアクリル等の合成繊維、綿糸、麻糸、絹糸等の天然繊維等からなる糸からなる織物等が挙げられる。
前記帆布は、縦糸と横糸とを直交させてなる織布であることが好ましい。
前記帆布は、通常、生地として販売されているものを適宜選択して使用することができる。
【００１９】
次に本考案に使用する合成樹脂シートについて説明する。
本考案に使用する合成樹脂シートとしては、例えば、ポリエチレンテレフタレート、ポリブチレンテレフタレート、ポリカーボネート等のポリエステル類、ポリ塩化ビニル、ポリ塩化ビニリデン等の塩素含有樹脂類、ポリエチレン、ポリプロピレン等のポリオレフィン類等があげられる。
前記合成樹脂シートは一種もしくは二種以上を使用することができる。
【００２０】
前記合成樹脂シートの厚みは、１０μｍ〜５ｍｍの範囲であることが好ましく、１００μｍ〜３ｍｍの範囲であればより好ましい。
【００２１】
次に本考案に使用する紙について使用する。
本考案に使用する紙としては、例えば、上質紙、ケント紙、画用紙、クラフト紙、和紙、Ｋライナー紙等、公知のものを使用することができる。
前記紙は一種もしくは二種以上を使用することができる。
【００２２】
次に実施例により、図面を参照しつつ、本考案を詳細に説明する。なお、本考案は下記の実施例により何ら限定されるものではない。
【実施例１】
【００２３】
実施例１に係る帆布積層シート１００よりも大きくカットしたポリエチレンテレフタレートからなる合成樹脂シート１に接着剤を均一に回転ローラーを用いて塗布する。
前記接着剤は、硬化前は液状であり、硬化後は固化して、合成樹脂シート１と上質からなる紙２とを接着することができるものであれば特に限定はない。前記接着剤は市販品を適宜選択して使用することができる。
【００２４】
前記合成樹脂シート１に塗布する際の接着剤の厚みは、３０〜１００μｍの範囲が好ましい。
また前記接着剤の使用量は、季節、温度、湿度により変化するが、夏の間の気温が２５℃を上回る場合には、前記合成樹脂シート１に塗布する際の接着剤の厚みは、７０〜１００μｍの範囲が好ましく、冬の間の気温が２０℃を下回る場合には、接着剤の厚みは、３０〜５０μｍの範囲が好ましい。
【００２５】
次に自動合紙機を用いて前記合成樹脂シート１と前記紙２とを張り合わせる。
前記合成樹脂シート１と前記紙２との大きさは、使用する紙２の大きさに合わせて適宜選択される。
張り合わされた前記合成樹脂シート１と前記紙２とをプレス機により挟み、４０〜６０℃の温度範囲で１〜３時間加熱し、前記接着剤を硬化、乾燥させる。
【００２６】
図１は、実施例１に係る帆布積層シート１００の分解斜視図である。
本考案に使用する前記合成樹脂シート１が一軸延伸シートの場合には、前記合成樹脂シート１の延伸方向１０と、前記延伸方向１０と直角方向の強度が異なる。このため前記一軸延伸シートの延伸方向１０を特定することができる。
前記延伸方向１０に沿って、前記一軸延伸シートを比較的容易に裂くことができる。
また本考案に使用する前記紙２が、抄紙されたものである場合には、前記紙２に使用される繊維が一定方向に配列している。ここで前記一定方向を梳き目方向２０という。
このため前記紙２は、梳き目方向２０と直角方向の強度が異なる。このため前記紙２の梳き目方向２０を特定することができる。
前記梳き目方向２０に沿って、前記紙２を比較的容易に裂くことができる。
【００２７】
前記一軸延伸シートの延伸方向１０と、前記紙２の梳き目方向２０とは、互いに一致しないことが好ましい。
前記一軸延伸シートの延伸方向１０と、前記紙２の梳き目方向２０とを、互いに一致させないためには、実施例１に係る帆布積層シート１００の表面に対する垂直方向から観察した場合を基準として、前記紙２の梳き目方向２０が、前記合成樹脂シート１の延伸方向１０と交差するように、前記合成樹脂シート１と前記帆布３とを配置すればよい。
【００２８】
このように前記紙２の梳き目方向２０が、前記合成樹脂シート１の延伸方向１０と交差するように、前前記紙２と前記合成樹脂シート１とを配置することにより、前記合成樹脂シート１が、延伸方向１０に沿って裂けることを防止することができ、より強度に優れた前記帆布積層シート１００が得られる。
【００２９】
次に綿繊維からなる帆布３を、２０〜８０℃の温度範囲の水を用いて洗浄する。この洗浄の際には前記帆布３を練りながら洗浄を行うことが好ましい。
この洗浄により前記帆布３の不純物を除去すると共に、乾燥後の前記帆布３の伸縮を抑えることができる。
洗浄後の前記帆布３をテンター機により乾燥させ、前記帆布３の皺を除去する。
【００３０】
先に得られた前記合成樹脂シート１と前記紙２との積層体の前記合成樹脂シート１に接着剤を均一に回転ローラーを用いて塗布する。
前記接着剤は、硬化前は液状であり、硬化後は固化して合成樹脂シート１と、前記帆布３とを接着することができるものであれば特に限定はない。前記接着剤は市販品を適宜選択して使用することができる。
【００３１】
前記紙２、前記合成樹脂シート１および前記帆布３が、この順に並べられた積層体をプレス機により挟み、４０〜６０℃の温度範囲で４〜６時間加熱し、前記接着剤を硬化、乾燥させる。
【００３２】
前記帆布３は、互いに直交する綿からなる縦糸と綿からなる横糸とを編み上げてなる。
先の合成樹脂シート１が一軸延伸シートの場合には、前記一軸延伸シートの延伸方向と、前記帆布３の縦糸および横糸のそれぞれの長手方向３０，３１は、互いに一致しないことが好ましい。
前記一軸延伸シートの延伸方向と、前記帆布３の縦糸および横糸のそれぞれの長手方向３０，３１とを、互いに一致させないためには、実施例１に係る帆布積層シート１００の表面に対する垂直方向から観察した場合を基準として、前記帆布３の縦糸および横糸の両方の長手方向３０，３１が、前記合成樹脂シートの延伸方向１０と交差するように、前記一軸延伸シートと前記帆布３を配置すればよい。
【００３３】
このように前記帆布３の縦糸および横糸の両方の長手方向３０，３１が、前記合成樹脂シート１の延伸方向１０と交差するように、前記一軸延伸シートと前記帆布３を配置することにより、前記合成樹脂シート１が、延伸方向１０を谷または谷にして折り曲げられるのを防止することができ、より強度に優れた前記帆布積層シート１００が得られる。
【００３４】
次に、前記紙２、前記合成樹脂シート１および前記帆布３が、この順に並べられた積層体を所望の大きさおよび形状に裁断機により裁断し、実施例１に係る前記帆布積層シート１００を得ることができる。
【００３５】
図２は、実施例１に係る帆布積層シート１００を示す模式斜視図である。
図２に示されるように、実施例１に係る帆布積層シート１００は、長方形の形状となっている。
図３は、実施例１に係る帆布積層シート１００の断面を示す模式断面図である。
前記帆布積層シートの断面構造は、帆布層、合成樹脂シート層および紙層の順に配置された多層構造となっている。
【００３６】
実施例１に係る前記帆布積層シート１００の形状は、前記帆布積層シート１００の外周が、直線により形成された形状、曲線により形成された形状、または直線および曲線を含んで形成された形状のいずれかであることが好ましい。
【００３７】
前記帆布積層シート１００の形状は、縦横それぞれ、５〜１５０ｃｍの範囲であることが好ましい。
前記帆布積層シートの形状１００が、縦横それぞれ、５〜１５０ｃｍの範囲であれば携帯しやすく、取り扱いやすい。
前記帆布積層シートの形状１００の形状は、工業規格に従うことが好ましく、例えば、Ａ列、Ｂ列、四六判、菊判、ハトロン判、ＡＢ判等の工業規格に従うものが好ましい。
【実施例２】
【００３８】
実施例２は実施例１の変形例である。
図４は、実施例２に係る帆布積層シート２００を示す模式断面図である。
実施例２に使用した抜き型部材は、断面形状が熊を模した筒状であって、下部に刃部を備えたものである。
前記抜き型部材により、実施例１に係る帆布積層シート１００を形抜きすることにより、実施例２に係る帆布積層シート２００を抜き型として得ることができる。
前記抜き型部材の断面形状を、長方形、正方形、平行四辺形等の四角形、五角形、六角形等の多角形、円形、楕円形、星型、熊やうさぎ等の動物型またはひまわりの花や桜の花等の植物型等を採用することにより、それぞれ長方形、正方形、平行四辺形等の四角形、五角形、六角形等の多角形、円形、楕円形、星型、熊やうさぎ等の動物型またはひまわりの花や桜の花等の植物型等の帆布積層シートを得ることも可能である。
【００３９】
なお前記抜き型を得る際は、抜き型部材に限定されず、例えば、はさみ等の切断手段を使って、所望の形状に前記帆布積層シート１００を切り抜いてもよい。
【００４０】
本考案により得られる帆布積層シートは、強度に優れるため、枠材等が存在しなくても単独で使用することができる。このため携帯に適していて、手軽に絵画を描くことができる
【産業上の利用可能性】
【００４１】
前記帆布積層シートは、油彩、水彩、ペン画用途等、多岐の用途に活用することができる。また、軽いという特徴から、各学校の美術用の教材、旅先等で使用することができる画材として、広く応用することができる。
【符号の説明】
【００４２】
１    合成樹脂シート
２    紙
３    帆布
１０  延伸方向
２０  梳き目方向
３０  縦糸の長手方向
３１  横糸の長手方向
１００  実施例１に係る帆布積層シート
２００  実施例２に係る帆布積層シート
【図１】
0003187090.tif 000003
【図２】
0003187090.tif 000004
【図３】
0003187090.tif 000005
【図４】
0003187090.tif 000006